(57)【要約】【課題】  簡単でコンパクトな構成で、内容液注出のための押下げ操作に連動するノズル先端の開閉機構を有するノズルヘッドを創出し、外観形状や、操作性を損なうことなく液垂れ、品質変化等の心配をなくした手動押下げポンプ付き注出容器を提供する。【解決手段】  ノズルヘッド本体と頂壁に搭載される動作体を有し、この動作体を、頂板の下面に突片を突設し、この突片の配設位置の前後で頂板を前後に分けて、前部をノズル先端をシールする蓋部とし、後部を押下げ操作部とし、突片の配設位置近傍から蓋部前方にかけての部分に、開口部を形成し、この開口部の後部開口縁、若しくは前部開口縁を基端として他方の開口縁に向けて板バネ片を舌片状に一体連設し、この板バネ片の先端部をノズルヘッド本体の頂壁に固定すると共に、突片をこの頂壁上面に当接させた状態で、この頂壁上に搭載固定する構成とする。【選択図】  図１
2008247415.tif 000002
【特許請求の範囲】
【請求項１】
容器の口部に組み付けられる手動押下げポンプ(21)の上端部に嵌合されるノズルヘッド本体(2)と、該ノズルヘッド本体(2)の頂壁(3)に搭載される動作体(11)を有し、前記動作体(11)は、頂板(12)の下面に前記ノズルヘッド本体(2)の頂壁(3)に当接して支点としての機能を発揮する突片(15)を突設し、該突片(15)の配設位置の前後で前記頂板(12)を前後に分けて、前部を前端面から前記ノズル(6)先端をシールするシール蓋片(13s)を垂下した蓋部(13)とし、後部を押下げ操作部(14)とし、前記突片(15）の配設位置近傍から前記蓋部(13)前方にかけての部分に、上下に貫通する開口部(16)を形成し、前記開口部(16)の後部開口縁、若しくは前部開口縁を基端として他方の開口縁に向けて板バネ片(17)を舌片状に一体連設し、前記板バネ片(17)の先端部を前記ノズルヘッド本体(2)の頂壁(3)に固定すると共に、前記突片(15)を頂壁(3)上面に当接させた状態で該頂壁(3)上に搭載固定する構成としたノズルヘッド。
【請求項２】
一対の突片(15)を、開口部(16)の左右端縁と動作体(11)の左右端の間に突設配設した請求項１記載のノズルヘッド。
【請求項３】
板バネ片(17)の先端部に係止突片(17f)を垂下設し、該係止突片(17f)をノズルヘッド本体(2)の頂壁(3)に形成した貫通孔(8)にアンダーカット状に係止固定した請求項１または２記載のノズルヘッド。
【請求項４】
板バネ片(17)を蓋部(13)に平行な平板状とした請求項１、２または３記載のノズルヘッド。
【請求項５】
板バネ片(17)をＳ字状に湾曲した形状とした請求項１、２または３記載のノズルヘッド。
【請求項６】
軟質材製のシール筒片(6s)をノズル(6)の先端部に嵌入し、蓋部(13)の閉状態でシール蓋片(13s)が、前記シール筒片(6s)の先端面に密着する構成とした請求項１、２、３または４記載のノズルヘッド。
【発明の詳細な説明】
【技術分野】
【０００１】
本発明は、容器の口部に組付けられて内容液を注出する機能を発揮する手動押下げポンプの上端部に嵌合して使用されるノズルヘッドに関する。
【背景技術】
【０００２】
たとえば特許文献１には、容器の口部に組付けられ、容器に収納された内容液を注出する手動押下げポンプの上端部に密嵌合して使用されるノズルヘッドに係る発明が記載されている。
【特許文献１】特開平１０−２９６１４０号公報
【発明の開示】
【発明が解決しようとする課題】
【０００３】
上記のようなノズルヘッドでは、内容液が吐出されるノズルの先端が外気に開放されており、内容液の種類によっては、ノズル先端からの液垂れの問題、内容液の品質の変化、劣化、あるいは内容液が固化してノズルが詰まる等の問題があり、ノズルの先端を蓋材等でシールする等の方法が採用されている。
【０００４】
一方、このような手動押下げポンプを用いた注出容器は、片手で、容器本体を掴持しながらポンプの押下げ操作をして内容液を注出できると云う、利便性が重要な特徴の一つであるが、ノズルの先端を開状態とするために、ノズル先端に取り付けた蓋材を取り外す操作を要する場合には、この利便性を損ねてしまう。
【０００５】
本発明の技術的な課題は、簡単でコンパクトな構成で、内容液注出のための押下げ操作及びこの押下げ操作の解除に連動して、ノズルの先端の開閉ができるノズルヘッドの創出を技術課題とし、外観形状や、操作性を損なうことなく、液垂れ、品質の変化、固化の心配をなくした手動押下げポンプ付き注出容器を提供することを目的とする。
【課題を解決するための手段】
【０００６】
本発明の課題を解決するための手段のうち、請求項１記載の発明の手段は、
容器の口部に組み付けられる手動押下げポンプの上端部に嵌合されるノズルヘッド本体と、このノズルヘッド本体の頂壁に搭載される動作体を有するノズルヘッドにおいて、
この動作体を、
頂板の下面にノズルヘッド本体の頂壁に当接して支点としての機能を発揮する突片を突設し、
この突片の配設位置の前後で前記頂板を前後に分けて、前部を前端面からノズルの先端をシールするシール蓋片を垂下した蓋部とし、後部を押下げ操作部とし、
突片の配設位置近傍から蓋部前方にかけての部分に、上下に貫通する開口部を形成し、
この開口部の後部開口縁、若しくは前部開口縁を基端として他方の開口縁に向けて板バネ片を舌片状に一体連設し、
この板バネ片の先端部をノズルヘッド本体の頂壁に固定すると共に、突片をこの頂壁上面に当接させた状態で、この頂壁上に搭載固定する構成とすること、
にある。
【０００７】
なお、本願における前、後の関係は、図１に示すように、ノズル６の先端側を前Ｆとし、逆の側を後Ｂとする。
【０００８】
請求項１記載の上記構成により、板バネ片の先端部をノズルヘッド本体の頂壁に固定すると共に、突片をこの頂壁上面に当接させた状態で、この頂壁上に搭載固定することにより、
内容液の注出のために押下げ操作部（以下、単に操作部と記す。）への押下げ操作を開始すると、突片を支点とし、この支点を中心に蓋部が回転、前部が上方に変位し、蓋部の前端面に垂下したシール蓋片によるシールが解消して、ノズルの先端が開状態となる。
【０００９】
この際、板バネ片の基端は頂板と一体設され、先端部はノズルヘッド本体の頂壁に固定拘束されているので、操作部への押下げ操作に伴なう蓋部の変位により、板バネ片には弾性的な復元力作用するので、上記、操作部への押下げ操作はこの復元力による上方付勢力に抗して実施することになる。
【００１０】
そして、操作部の後端がノズルヘッドの頂壁に当接した状態で、さらに今度はポンプ内に配設されるスプリングの上方付勢力に抗して操作部の押下げ操作を続行すると、ノズルヘッド本体を介してポンプのステムを押下げて、内容液を、吸い上げて、ノズル先端から注出することができる。
【００１１】
このように、操作部への一連の押下げ操作により、ノズル先端の開放と内容液の注出を達成することができる。
なお、このような一連の操作を可能とするために、上記した板バネ片による上方付勢力は、ポンプ内に配設されるスプリングによる上方付勢力よりも小さく設定しておく。
【００１２】
内容液の注出が終了した際には、指先を離して操作部への押下げ操作を解消すると、スプリングによる上方付勢力によりポンプのステムが元の位置に上昇すると共に、板バネ片の弾性復元力により、動作体が元の位置に戻り、シール蓋片によりノズル先端が閉状態となる。
【００１３】
ここで、請求項１記載の動作体は、全体として平板状の頂板を基盤とするものであり、全体を射出成形により一体成形可能な構造とすることができ、またノズルヘッド本体の頂壁にも容易に搭載可能であり、簡単でコンパクトな構成で、外観形状や、操作性を損なうことなく内容液注出のための押下げ操作及びこの押下げ操作の解除に連動してノズルの先端の開閉ができる。
また、請求項１記載の動作体は上記したように簡単でコンパクトな構成であるので、ノズルヘッド本体の形状を特別なものとする必要もなく、従来の形状のノズルヘッド本体にも簡単に搭載可能である。
【００１４】
請求項２記載の発明の手段は、請求項１記載の発明において、一対の突片を、開口部の左右端縁と動作体の左右端の間に突設すること、にある。
【００１５】
請求項２記載の上記構成は、動作体の支点となる突片の具体的な配設態様を示すものであり、一対の突片を、開口部の左右端縁と動作体の左右端の間に突設配設することにより、板バネ片を左右から挟むように支点が配置するので、板バネ片をスムーズに変形させることができ、蓋部の開閉動作をスムーズに達成することができる。
【００１６】
請求項３記載の発明の手段は、請求項１または２記載の発明において、板バネ片の先端部に係止突片を垂下設し、この係止突片をノズルヘッド本体の頂壁に形成した貫通孔にアンダーカット状に係止固定する構成とすること、にある。
【００１７】
請求項３記載の上記構成により、簡単な構造で、板バネ片を容易にノズルヘッド本体の頂壁に固定することができる。
【００１８】
請求項４記載の発明の手段は、請求項１、２または３記載の発明において、板バネ片を蓋部に平行な平板状とすること、にある。
【００１９】
請求項４記載の上記構成は、板バネ片の具体的な実施態様を示すものであり、動作体を簡単な構造で、コンパクトに構成することができる。
【００２０】
請求項５記載の発明の手段は、請求項１、２または３記載の発明において、板バネ片をＳ字状に湾曲した形状とすること、にある。
【００２１】
請求項５記載の上記構成も、板バネ片の具体的な実施態様を示すものであり、Ｓ字状に湾曲した板バネ片により、よりスムーズな弾性変形が達成でき、よりスムーズな操作性が得られる。
【００２２】
請求項６記載の発明の手段は、請求項１、２、３、４または５記載の発明において、軟質材製のシール筒片をノズルの先端部に嵌入し、蓋部の閉状態でシール蓋片が、シール筒片の先端面に密着する構成とすること、にある。
【００２３】
請求項６記載の上記構成により、軟質材製のシール筒片を使用することにより、ノズル先端のシールをより確実に達成することができる。
【発明の効果】
【００２４】
本発明は上記した構成となっているので、以下に示す効果を奏する。
請求項１記載の発明にあっては、動作体は全体として平板状の頂板を基盤とするものであり、全体を射出成形により一体成形可能な構造とすることができ、またノズルヘッド本体の頂壁にも容易に搭載可能であり、簡単でコンパクトな構成で、外観形状や、操作性を損なうことなく内容液注出のための押下げ操作及びこの押下げ操作の解除に連動してノズルの先端の開閉ができる。
【００２５】
また、動作体は簡単でコンパクトな構成であるので、ノズルヘッド本体の形状を特別なものとする必要もなく、従来の形状のノズルヘッド本体にも簡単に搭載可能である。
【００２６】
請求項２記載の発明にあっては、一対の突片を、開口部の左右端縁と動作体の左右端の間に配設することにより、板バネ片を左右から挟むように支点が配置するので、板バネ片をスムーズに変形させることができ、蓋部の開閉動作をスムーズに達成することができる。
【００２７】
請求項３記載の発明にあっては、簡単な構造で、板バネ片を容易にノズルヘッド本体の頂壁に固定することができる。
【００２８】
請求項４記載の発明にあっては、平板状の板バネ片により動作体を簡単な構造で、コンパクトに構成することができる。
【００２９】
請求項５記載の発明にあっては、Ｓ字状に湾曲した板バネ片により、よりスムーズな弾性変形が達成でき、よりスムーズな操作性が得られる。
【００３０】
請求項６記載の発明にあっては、軟質材製のシール筒片を使用することにより、ノズル先端のシールをより確実に達成することができる。
【発明を実施するための最良の形態】
【００３１】
以下、本発明の実施の形態を実施例に沿って、図面を参照しながら説明する。
図１〜図３は本発明のノズルヘッドの第１実施例を示すものであり、図１はこのノズルヘッド１をポンプ２１の上端部に密嵌合すると共に、ポンプ２１を組付けキャップ２２で壜体２４の口筒部に組付け固定した状態を、部分的に縦断して示す側面図であり、図２は図１のノズルヘッド１の平面図である。また、図３は、図１のノズルヘッド１においてノズル６先端を開とした状態を示す、上端部の縦断側面図である。
【００３２】
本実施例のノズルヘッド１はノズル６に配設したメッシュ状の発泡化体７により、内容液を空気と攪拌させて発泡化させた状態で注出するタイプのものであり、ノズルヘッド本体（以下、本体と略記する場合がある。）２とこの本体２の頂壁３上に搭載される動作体１１から構成される。
【００３３】
本体２は有頂の２重円筒状で、頂壁３から外筒５と、内筒４を垂下設しており、内筒４はポンプ２１のステム２１ａの上端部に密に外嵌する。また、前方に突出した姿勢でノズル６が形成されており、内容液はこのノズル６の内部に形成される流路を流動し、発泡化体７により発泡化させた状態で、先端から注出する。
【００３４】
動作体１１は、全体として平板状の頂板１２を基盤とするものであり、図２に示されるように、この頂板１２前後の略中間位置において、左右に支点となる一対の突片１５を突設し、この突片１５の配設位置の前後で頂板１２を前後に分けて、前部を蓋部１３とし、後部を押下げ操作部１４としている。
【００３５】
蓋部１３の前端面にはノズル６の先端をシールするシール蓋片１３ｓを垂下設している。また、操作部１４の上面には滑り止めのロレットを刻設し、下面には剛性を大きくするために突条状の補強リブ１４ｒを垂下設している。
また、この操作部１４では、前端部に段部１２ａを形成し、さらに後方斜め上に持ち上がるように形成し、その上下方向の稼動範囲を広げるようにしている。
【００３６】
また、突片１５の配設位置近傍から蓋部１３前方にかけての部分に、上下に貫通する開口部１６を形成し、この開口部１６の後部開口縁を基端として、前部開口縁に向けて、平板状の板バネ片１７を舌片状に一体連設している。
【００３７】
そして、動作体１１はこの板バネ片１７の先端部に垂下設した係止突片１７ｆをノズルヘッド本体２の頂壁３に形成した貫通孔８にアンダーカット状に係止固定すると共に、支点となる一対の突片１５を頂壁３の上面に当接させた状態で、この頂壁上に搭載、固定される（図１参照）。
【００３８】
上記のように、ヘッド本体２に動作体１１を搭載固定したノズルヘッド１の操作態様について以下説明する。
内容液の注出のため、指先により動作体１１の操作部１４への押下げ操作（図３中の白抜き矢印参照。）を開始すると、一対の突片１５を支点とし、この支点を中心に蓋部１３が回転、前部が上方に変位し、蓋部１３の前端面に垂下したシール蓋片１３ｓによるシールが解消して、ノズル６の先端が開状態となる。
【００３９】
この際、板バネ片１７の基端は頂板１２と一体設され、先端部はノズルヘッド本体２の頂壁３に固定拘束されているので、操作部１４への押下げ操作に伴なう蓋部１３の変位により、板バネ片１７には弾性的な復元力により、操作部１４には上方付勢力が作用する。
【００４０】
そして、操作部１４の後端が本体２の頂壁３に当接した状態で（図３参照）、さらに、今度はポンプ２１内に配設されるスプリングの上方付勢力に抗して操作部１４の押下げ操作を続行すると、本体２を介してポンプ２１のステム２１ａを押下げて、内容液を吸い上げてノズル６先端から注出する。
【００４１】
そしてまた、内容液の注出が終了した際には、指先を離して操作部１４への押下げ操作を解消すると、スプリングによる上方付勢力によりポンプ２１のステム２１ａが元の位置に上昇すると共に、板バネ片１７の弾性復元力により、動作体１１が元の位置に戻り、シール蓋片１３ｓによりノズル６の先端が閉状態となる。
【００４２】
図４は、上記説明した第１実施例のバリエーションの一つであり、先端にフランジ６ｓｆを付設した合成樹脂製エラストマー等の軟質材製のシール筒片６ｓを、フランジ６ｓｆをノズル６の先端面に密着当接した状態で、ノズル６の先端部に嵌入する構成としたものである。
【００４３】
このような構成とすることにより、ノズル６先端が閉状態の際には蓋部１３のシール蓋片１３ｓがこの軟質材製のシール筒片６ｓの先端面に密着し、ノズル６先端のシールをより確実に達成することができる。
【００４４】
図５は本発明のノズルヘッドの第２実施例を示すものであり、（ａ）は平面図、（ｂ）はノズル６先端を閉とした上端部の縦断側面図、（ｃ）はノズル６先端を開とした上端部の縦断側面図である。
第１実施例と比較すると、板バネ片１７の形成方向とその形状が異なり、開口部１６の前部開口縁を基端として、後部開口縁に向けてＳ字状に湾曲した板バネ片１７を舌片状に一体連設し、この板状バネ片１７の先端部に係止突片１７ｆを垂下設し、この係止突片１７ｆをノズルヘッド本体２の頂壁３に形成した貫通孔８にアンダーカット状に係止固定する構成である。
【００４５】
このように板バネ片１７をＳ字状に湾曲したものとすることにより、操作部１４の押下げに操作による弾性変形を、この湾曲形状の変化によりスムーズに達成することができ、よりスムーズな蓋体１３の開閉操作性が得られる。
【００４６】
以上、本発明の実施の形態を実施例に沿って説明したが、本発明の実施の態様はこれら実施例に限定されるものではない。
たとえば、板バネ片１７には様々な形状のものを採用することができ、その形成方向と組み合わせて様々なバリエーションの構成とすることができる。
また、上記実施例では左右に一対、突片１５を形成して支点としたが、たとえば左右に突条状に延設されるものとすることもできる。
また、ノズルヘッド本体２についても様々なバリエーションの形状とすることができ、たとえば必要に応じて、ノズル６部分を別部材とすることもできる。
【産業上の利用可能性】
【００４７】
以上説明したように、本発明のノズルヘッドは簡単でコンパクトな構成で、外観形状や、操作性を損なうことなく内容液注出のための押下げ操作及びこの押下げ操作の解除に連動してノズルの先端の開閉ができるものであり、手動ポンプと組み合わせて幅広い用途への展開が期待される。
【図面の簡単な説明】
【００４８】
【図１】本発明の第１実施例のノズルヘッドをポンプと共に壜体の口筒部に組付け固定した状態を部分的に縦断して示す側面図である。
【図２】図１のノズルヘッドの平面図である。
【図３】図１のノズルヘッドにおいてノズル先端を開とした状態を示す、上端部の縦断側面図である。
【図４】図１のノズルヘッドにおいて、ノズル先端にシール筒片を嵌入した状態を示す、上端部の縦断側面図である。
【図５】本発明の第２実施例のノズルヘッドを示し、（ａ）は平面図、（ｂ）はノズル先端を閉とした上端部の縦断側面図、（ｃ）はノズル先端を開とした上端部の縦断側面図である。
【符号の説明】
【００４９】
１  ；ノズルヘッド
２  ；（ノズルヘッド）本体
３  ；頂壁
４  ；内筒
５  ；外筒
６  ；ノズル
６ｓ；シール筒片
６ｓｆ；フランジ
７  ；発泡化体
８  ；貫通孔
１１；動作体
１２；頂板
１２ａ；段部
１３；蓋部
１３ｓ；シール蓋片
１４；（押下げ）操作部
１４ｒ；補強リブ
１５；突片（支点）
１６；開口部
１７；板バネ片
１７ｆ；係止突片
２１；ポンプ
２１ａ；ステム
２２；組付けキャップ
２４；壜体
Ｆ  ；前
Ｂ  ；後
【図１】
2008247415.tif 000003
【図２】
2008247415.tif 000004
【図３】
2008247415.tif 000005
【図４】
2008247415.tif 000006
【図５】
2008247415.tif 000007